(57)【要約】【課題】通常屋外に管柱埋設起立し、管柱上端部の吐出管より水道管の常水と温水とその混合水とを選択して吐水管より放流する。【解決手段】給湯管と水道水管より分岐した給水間は管柱の埋設部より管柱内上端部に導いて混合水栓体の基端側の弁座の一対の開孔に接続し、該弁座と密接摺動する開孔を有する滑り弁は管柱外の切替レバーの操作で選択した温水、常水、その調整された混合水を各別に導管を介して吐出管より洗い場に放流されるようにしたものである。【選択図】図３
0003101812.tif 000002
【実用新案登録請求の範囲】
【請求項１】
管柱の埋設した壁部に外部からの温水の給湯管と水道管から分岐した給水管が管継手を介して管柱内を上方に導かれ、該両管は管柱上端部に設けられた混合水栓体の円形筐体基端側の一対の弁座の開孔に接続する一方、弁座には弁孔と弁室を有する滑り弁を摺動可能に密接し、該滑り弁に基端を係合した作動杆は中央部を枢着して先端は切替レバーに軸支され、該切換レバーの操作により滑り弁は弁座の閉塞位置から温水、常水及びこれ等の混合水を各別に調整しながら弁室を介して導管より吐出管に流出させることを特徴とする湯水混合水洗柱。
【請求項２】
上記管柱上端にはU字形状切欠部が設けられ、該切欠部には混合水栓体のオネジにメネジを刻設した一対の取付板を圧設挟持したのちビスで締付固定したことを特徴とする第1項記載の湯水混合栓柱。
【請求項３】
管柱内には発泡ポリウレタン,発泡ポリプロピレンなどの断熱材を詰込むと共に管柱上端と、下端にはキャップを装着することを特徴とする第1項記載の湯水混合水栓柱。
【考案の詳細な説明】
【技術分野】
【０００１】
本考案は、通常屋外に足洗い場を附設した湯水混合水栓柱に関し、特に水道水から供給する常温水(常水という)と水道水を加熱器による温水(湯)か、これらを混合するかをして選択して吐出管より吐出する湯水混合水栓柱に関するものである。
【背景技術】
【０００２】
元来水道水を供給する水栓柱はこれに附設する足洗場で作業者の手足、機械器具を洗浄したり、自動車を洗浄するために配設されている。この水栓柱は水道管の分岐管より地下に埋設した供給管よりコンクリート製又軽金属製の角型管柱の上端部から蛇口を介して冷たい常水を蛇口より吐出させる事により、前記の身体や道具等を洗い流す利点があり、実用に供されている。
【０００３】
しかし、脂肪を含む汗(あせ)や塵芥を含む汚れが身体に付着したり、機械油が付着する工具や農機具その他の所持品を水道管からの吐出水で洗浄除去するには屋外の洗浄といっても不充分で洗浄快感は得られぬという欠点があった。
【０００４】
この改善策として、水栓柱を覆う雨除け屋根を設けたり、身体を洗うときの雨除けと目隠し用の壁体を設けたり、はたまた、蛇口よりゴムホースを介してシャワーヘッドを設け、これにより道具や自動車に対し、冷たい水で洗浄することは依然としてあったが冷水の飛沫が降りかかって上記の処理を好適に改善することはできなかった。
【考案の開示】
【考案が解決しようとする課題】
【０００５】
解決しようとする問題点は、寒冷地での1年の大部分の期間、温暖地の冬場は常水であっても冷たい水道水であり、これにより脂肪を含んだ汚れた手足や身体の洗浄、特に油と塵芥が固着した農業機械の洗浄をしても、作業者の手足のかじかみと冷水による油脂類の除去は極めて困難であるという問題点がある。
【課題を解決するための手段】
【０００６】
本考案は湯水の混合水栓柱の蛇口状の吐出管より温水や水道水の常水、温水と常水の混合水を切替えレバーにより各別に吐出させ且つ、吐出水の温度と吐出量を調整可能となし、寒冷な屋外でも油脂や機械油を含む汚泥や塵芥が付着した労働後の身体を快適に洗浄除去し得ることを最も主要な特徴とする。
【考案の効果】
【０００７】
本考案の湯水の混合水栓柱は冬場又は寒冷地で労働後の汚れた身体、使用後の汚れた器具の洗浄、農機具の塵芥の洗い落としの際、洗浄者にとって冷たい苦痛に耐えることなく、充分に洗浄操作をなすことが可能である。
【０００８】
更に、夏場でも機械油や脂肪を含む汚れが付着した身体や機械、器具を水道水から成る常水だけでは除去し難いが、本考案により、吐出される高温な湯により、洗浄すれば極めて簡単に汚れを除去できるものである。
【０００９】
又、酷暑の環境下でも少なくとも水道水からなる常水では油脂類の洗浄は不充分である。そして、極めて寒いときでも湯と水とを混合した適温水の使用が好適である場合もあり、これらを使い分けられるという利点がある。
【考案を実施するための最良の形態】
【００１０】
本考案の湯水混合水栓柱はハウジングとしての管柱の断面径が従来の水道水のみを吐出する管柱と略同径とした管柱で収納部材は漏水がなく、保温されて確実に作動させ、最小の部品点数で確実に動作させることを実現した。
【実施例１】
【００１１】
図1は本考案の1実施例である湯水混合水栓柱1の一部切欠正面図である。管柱2はアルミニウム材や耐食性軽合金材で肉厚が７,５〜８ｍｍの角型管材で高さは環境や使用目的よりして90、100、120ｃｍの規格とすることが好ましい。管柱2の上下端には合成樹脂材製のキャップ3と4が装着され、下部は２０〜30cm程度地盤内に埋設して起立される。
【００１２】
管柱2が埋設された部分の側壁5の位置は水道水管の分岐管に加熱器(図示せず)を介して給湯管6を設け、その先端は側壁に設けたL字形管継手7に水密に接続して温水を流通させる。継手7に接続した温水道管8は管柱上端方向に配設される。他方、水道管より分岐した給水管9の先端は側壁10に設けたL字形の管継手11に接続し、管継手11に接続した常水導管12は管柱の上方に向かって配設される。そして該導管8と12は管柱上端に配設した混合水栓体16に接続する。
【００１３】
混合水栓体16は特開平8-49269号記載のものを用いたが、これと同一機能を有する多くのものが提案されておりこの製品に限定して使用する必要はない。以下混合水栓体16を説明する。
【００１４】
混合水栓体16は管柱2の正面壁14の上端より切込んだU字形状の切欠部16に装着する。混合水栓体16後部の円形筐体17基部の下部両側は一対の弁座の開口を設け、これらに前記温水導管8と浄水導管12の上端を接続する。円形筐体17の上部域には混合又は選択した温水、常水の給送通路を設け、これと接続した逆L字状の管継手18を介して吐出管19に接続する導管20を設ける。一方円形筐体17の前面より掘込んだ凹部の弁座平面には前記一対の弁座の開口と給送通路開口の周辺には漏水防止用のシールを介して弁座板を配置固定する。この弁座板は下側両側部に前記温水と常水の開口と連通する湾曲溝形状の弁座孔と連通する大径の給送孔を設ける。
【００１５】
上記弁座に摺動密接する滑り弁は前記円形筐体17とこれを螺着した円筒筐体21とに支持部材を介して装着され、しかも弁室を備えたもので、該滑り弁の弁孔と弁室の上部は前記給送通路と常に連通している上部弁孔を有し、上部弁孔より下方に向かって次第に膨らんだ形状の下部弁孔とが一体的に形成される。
【００１６】
前期滑り弁には作動扞の基端が係合される。作動扞はその中央部が前記円筒筐体21内の支持部材を介して軸支される。作動扞先端は切替えレバー23を有する覆体24に枢着されている。
【００１７】
上記筐体24はその表面に矢標で表示したように切替レバー23を動作する。それはレバー23を把持して、弁座孔を閉塞した基点25に覆体24を下降させると滑り弁は上昇移動して弁座の下部両側湾曲溝状弁座孔を閉塞する。そして、矢標26方向に上昇させると温水と常水との混合量を調整しながら弁室より給送通路を介して導管20を通り吐出管19に至って吐出する。覆い体24を矢標27方向に回動してゆくと温水吐出量が増大してゆくものである。矢標28方向に回動すると常水が弁室に流入したのち吐出管19より吐出される。
【００１８】
上記円形筐体17の表面のオネジにはメネジを刻設した円形の取付板30が螺着され、管柱正面壁14にタッピングビス31で固着されるか既設メネジ孔にビスで螺着される。その正面壁14の内側に螺挿された大径の取り付け板32は予め塗着された接着剤によりU字形の切欠部より雨水の浸入を防止する。
【００１９】
上記混合水栓体16よりの導管20先端が下部の正面壁14に設けた管継手33に接続し、該管継手33のオネジに螺合した2枚のメネジを有する取付板34、35により正面壁14に挟持固定する。管継手33の先端側は座付きナット３６で吐出管１９を突出形成する。吐出管19の先端が細い金属孔部を有する放出用ホースやシャワーヘッド付ホースを接続可能である。
【００２０】
混合水栓柱1は図2に示す如く通常水栓柱の前側に配置した台枠３７上に洗い場38を設ける。そして、各住宅に配設しホースやシャワーで庭の樹木への注水、自動車の洗浄、特にこれらに油が附着しているときは温水の吐出によるのみで洗浄可能である。更に農業機械で工作するときは作業後の温水洗浄が必要とされる。また工場での作業後は、工場内の別室にこれを設けて、油に汚れた身体や工具の温水による洗浄が充分に行える。
【００２１】
管柱2に本考案の構成部材を装着するときは先ず、導管20を接続した管継手33を正面壁14の後部より外部に突出してとりつけた吐出管19を取付板34、35で締結する。その後、吐出管19を座付きナット36で管継手33に水密に螺着する。それから混合水栓体に接続した温水導管8と浄水導管12の下端は図1に示す両管継手7、及び11を管柱2上側開口より注意深く挿入してゆき、上端の湯水の混合水栓体16を切欠部15に配置させ、取付板30と32を螺着締めつける。その後、図1に示す管柱下端開口より手を挿入してL字形管継手7及び11を管柱両側壁より突出させる。このとき前記両管継手に設けた取付板をビスで締付固定する。それから、給湯管6と給水管9を夫々の管継手に螺着した後座付きナットで水密に締めつける。その後、管柱2内には発泡ウレタン樹脂片や発泡ポリプロピレンなどの断熱材を詰込んで給送温水の保温性を計ると共に収納部材の配設位置を保持させるものである。
【産業上の利用可能性】
【００２２】
本考案の湯水混合水栓柱は食品の各加工工程中で人体に無害な殺菌剤を混入しながら各加工中の食材に湯水を吐出しながら洗浄して、順次新素材を投入混和する等の操作には不可欠な用途として適用可能である。
【図面の簡単な説明】
【００２３】
【図１】湯水の混合水栓柱の実施例を示した一部切欠全体正面図である。
【図２】上記混合水栓柱の上部に設けた混合水栓体に導管で接続した吐出管を示す部分拡大斜視図である。
【図３】混合水栓柱に枠体を介して洗い場を設けた全体斜視図である。
【符号の説明】
【００２４】
１              湯水混合水栓柱
２              管柱
３．４          キャップ    
５．１０        側壁
６              給水管
７．１１        L字上の管継手  
８              温水導管
９              給水管
１５            U字形状切欠部
１６            湯水の混合水栓体
１７            円形筐体
１８            管継手
１９            吐出管
２０            導管
２１            円筒筐体
２３            レバー  
２４            覆体
２６．２７．２８      矢標
３０．３２      取付板
３８              洗い場
【図１】
0003101812.tif 000003
【図３】
0003101812.tif 000004
【図２】
0003101812.tif 000005